(57)【要約】【課題】２点接触構造のコンタクトを有し、カバー部材の開閉操作によってＩＣパッケージの外部端子との同期した接触、開離ができるようにする。【解決手段】ソケット本体と、該ソケット本体の一側に回動可能に枢支されて他側にソケット本体と係合されるラッチ機構が設けられたカバー部材とを有するＩＣソケットにおいて、前記ソケット本体に一対の固定側コンタクト部材と可動側コンタクト部材が対向して配設されて成るコンタクトが配設され、前記カバー部材に前記可動側コンタクト部材を同期して閉合作動するための作動部が設けられている。【選択図】　　　　図１
2004103432.tif 000002
【特許請求の範囲】
【請求項１】
ソケット本体と、該ソケット本体の一側に回動可能に枢支されて他側にソケット本体と係合されるラッチ機構が設けられたカバー部材とを有するＩＣソケットにおいて、
前記ソケット本体に一対の固定側コンタクト部材と可動側コンタクト部材が対向して配置されて成るコンタクトが配設され、前記カバー部材に前記可動側コンタクト部材を同期して閉合作動するための作動部が設けられていることを特徴とするＩＣソケット。
【請求項２】
前記固定側コンタクト部材と可動側コンタクト部材が弾性条片材から形成され、枢支内側の可動側コンタクト部材の作動部が、枢支外側の可動側コンタクト部材の作動部よりも長いことを特徴とする請求項１記載のＩＣソケット。
【請求項３】
前記枢支内側、外側の可動側コンタクト部材の作動部が同長であることを特徴とする請求項１記載のＩＣソケット。
【請求項４】
前記可動側コンタクト部材のコンタクト部が、前記固定側コンタクト部材のコンタクト部に押圧するように配置されていることを特徴とする請求項１記載のＩＣソケットは、
【請求項５】
前記固定側コンタクト部材の外側に前記可動側コンタクト部材が配置され、前記固定側コンタクト部材のコンタクト部に対向して前記可動側コンタクト部材のコンタクト部が位置されていることを特徴とする請求項１記載のＩＣソケット。
【請求項６】
前記固定側コンタクト部材と可動側コンタクト部材とが二点接触構造であることを特徴とする請求項１記載のＩＣソケット。
【発明の詳細な説明】
【０００１】
【発明の属する技術分野】
本発明は、ＩＣパッケージ等の半導体装置に用いられるＩＣソケットに関するもので、特に、ソケット本体に一側にて枢支されるカバー部材を有するＩＣソケットに関するものである。
【０００２】
【従来の技術】
従来、電子部品としてのＩＣパッケージ等の半導体装置においては、ＩＣソケットのソケット本体に装着し、カバー部材を閉じて保持するようにしたクラムシェル・タイプのＩＣソケットが知られている。このようなクラムシェル・タイプのＩＣソケットは、ＩＣパッケージ等の半導体装置の外部端子に接触するコンタクトを有し、半導体装置における検査を行っている（例えば、特許文献１、２、３参照）。
【０００３】
特に、ＩＣパッケージの生産工程において、最終的にテストおよびバーンインを行ってＩＣパッケージの初期不良を確認するためのソケットにおいて、ＩＣパッケージの特性を確認するために２つのコンタクトが必要になる場合がある。
【０００４】
【特許文献１】
特開平８−１８０９４８号公報（第３、４頁、図１乃至図９）
【０００５】
【特許文献２】
特開平７−１４２１３３号公報（第２、３頁、図１乃至図９）
【０００６】
【特許文献３】
特開２００１−１４８２７２号公報（第３乃至６頁、図１乃至図９）
【０００７】
【発明が解決しようとする課題】
しかしながら、従来におけるこのようなクラムシェル・タイプのＩＣソケットは、フラットパック用コンタクトを前後に２つ並べて、押え板としてのカバー部材に設けられたコンタクトを介して後側のコンタクトにも接触させるようにしており、このために、カバー部材側のコンタクトがソケット本体側のコンタクトに対して上方から押圧して接触させているので、ソケット自体の全体の寸法が長くなり、かつ大きくなる等の問題が見られる。
【０００８】
このような従来のＩＣソケットにおいて、例えば、特許文献１記載のＩＣソケットは、ＩＣリードの上側にコンタクトを接触させる、普通に、一般的に行われている方法のもので、通常は閉じている状態からカバー部材を使ってコンタクトを開いて、ＩＣパッケージを挿入した後にコンタクトを閉じてＩＣリードとコンタクトを接触する構造になっている。
【０００９】
また、特許文献２記載のＩＣソケットは、コンタクトの接触部分の位置に関するもので、モールド部分を使って位置を決めており、接触部を押圧する側圧部を設け、押圧面にて接触部の通りを一致させる整列面を形成している。
【００１０】
このような従来のＩＣソケットにおいては、最初の方法では、下側で独立したコンタクトによって接触させることは非常に難しく、また、２番目の方法では、位置決めのみを行っており、接触力がモールド部分に奪われる等の問題が見られる。
【００１１】
従って、本発明の目的は、このような従来における問題点を解決するために、２点接触構造のコンタクトを有し、カバー部材の開閉操作によってＩＣパッケージの外部端子との同期した接触、開離ができるようにしたＩＣソケットを提供することにある。
【００１２】
【課題を解決するための手段】
上述の目的を達成するために、本発明のＩＣソケットは、ソケット本体と、該ソケット本体の一側に回動可能に枢支されて他側にソケット本体と係合されるラッチ機構が設けられたカバー部材とを有するＩＣソケットにおいて、前記ソケット本体に一対の固定側コンタクト部材と可動側コンタクト部材が対向して配置されて成るコンタクトが配設され、前記カバー部材に前記可動側コンタクト部材を同期して閉合作動するための作動部が設けられていることを特徴とする。
【００１３】
また、本発明のＩＣソケットは、前記固定側コンタクト部材と可動側コンタクト部材が弾性条片材から形成され、枢支内側の可動側コンタクト部材の作動部が、枢支外側の可動側コンタクト部材の作動部よりも長いことを特徴とする。
【００１４】
さらに、本発明のＩＣソケットは、前記枢支内側、外側の可動側コンタクト部材の作動部が同長であることを特徴とする。
【００１５】
さらにまた、本発明のＩＣソケットは、前記可動側コンタクト部材のコンタクト部が、前記固定側コンタクト部材のコンタクト部に押圧するように配置されていることを特徴とする。
【００１６】
本発明のＩＣソケットは、前記固定側コンタクト部材の外側に前記可動側コンタクト部材が配置され、前記固定側コンタクト部材のコンタクト部に対向して前記可動側コンタクト部材のコンタクト部が位置されていることを特徴とする。
【００１７】
また、本発明のＩＣソケットは、前記固定側コンタクト部材と可動側コンタクト部材とが二点接触構造であることを特徴とする。
【００１８】
本発明のその他の目的や特徴および利点は、添付図面に示される本発明の実施形態についての以下の詳細な説明から明らかであろう。
【００１９】
【発明の実施の形態】
（実施例１）
図１乃至図４は、本発明のＩＣソケットの実施例１を示す図で、図１は、本発明のＩＣソケットを、カバー部材を開いた時の垂直縦方向断面図、図２は、図１の本発明のＩＣソケットのカバー部材を開いた状態での平面図で、図３は、カバー部材を閉じた時の垂直縦方向断面図、図４は、図１の本発明のＩＣソケットのコンタクト部分の拡大部分説明図である。
【００２０】
図１および図２に示されるように、本発明のＩＣソケット１は、クラムシェル・タイプのＩＣソケットであって、固定側のソケット本体２と、ソケット本体２の一側に回動可能に枢支された押え板としてのカバー部材３と、ソケット本体２内に設けられた固定側コンタクト部材６と可動側コンタクト部材７を有する複数個のコンタクト４と、カバー部材３をソケット本体２に係脱自在に係止するようにカバー部材３の他側に設けられたラッチ機構５と、ＩＣパッケージ１０が装着されるパッケージ装着部材８とを備えており、固定側コンタクト部材６とこれに対応する可動側コンタクト部材７とが長手方向、すなわち縦方向に前後に対向して固定側コンタクト部材６をソケット本体２の中心に対して内側として、かつ左右横方向に整列して複数列に配設されている。
【００２１】
また、これらソケット本体２とカバー部材３とラッチ機構５とパッケージ装着部材８等は、例えば、電気的に絶縁性の適宜な合成樹脂材料から作られるのが好適である。この実施例では、コンタクト４の固定側コンタクト部材６と可動側コンタクト部材７とが、導電性の良好な金属薄板材料から作られるのが特に好適である。
【００２２】
本発明のこのようなＩＣソケット１において、ソケット本体２とカバー部材３は、ほぼ方形状または長方形状をなしており、それぞれ一側のヒンジ部としての枢支部１４においてピン１５によって回動可能に枢支されるようにヒンジ連結されている。また、カバー部材３は、開放方向に回動できるようにヒンジ連結部分において捩じりばねやコイルスプリングのような適宜なばね部材１２によって弾性附勢されている。このためカバー部材３は、ラッチ機構５の施錠が解除される時に、ばね部材１２のばね力によって自動的に、あるいは、ばね部材１２のばね力の補助によって開放方向に向ってオープン状態に開くことができるようになっている。
【００２３】
さらに、ソケット本体２は、枢支部１４と反対側の端部にラッチ機構５のためのラッチ用突部１６が設けられている。このソケット本体２は、後述するラッチ機構５のラッチ用の爪部２５がラッチ係合できるように形成されると共に、ほぼ中央にＩＣパッケージ１０を装着して支持するための一対の台座１７とガイド部１８とを有するパッケージ装着部材８が設けられている。また、ソケット本体２は、複数個の、図示では４個の、ばね部材１９によってパッケージ装着部材８が弾性支持されていて、挿入されたＩＣパッケージ１０がガイド部１８によって案内されて台座１７の上に載置されて所要位置に正確に位置決めされて装着されるように形成されている。
【００２４】
さらにまた、カバー部材３は、内側となる下面のほぼ中央にＩＣパッケージ１０を押圧するために下方に突出した押圧部２０が設けられると共に、後述するようにコンタクト４の可動側コンタクト部材７の作動部３９が係合されるコンタクト開閉用の操作孔２２が設けられている。この操作孔２２は、内側の孔の面がカム面として作用して、可動側コンタクト部材７の作動部３９の先端部に当接して作動部３９を中央に向って押圧することで、可動側コンタクト部材７のコンタクト部３５を固定側コンタクト部材６のコンタクト部３０に対して閉じるように押圧して作用する。これによって、この操作孔２２では、これら固定側コンタクト部材６のコンタクト部３０と可動側コンタクト部材７のコンタクト部３５との間に、ＩＣパッケージ１０の外部端子１１であるＩＣリードを挟み込んで電気的に接続するように構成されている。
【００２５】
また、カバー部材３の下面中央の押圧部２０は、ソケット本体２に対してカバー部材３が閉じられてラッチ機構５によってラッチされて固持される時に、パッケージ装着部材８の台座１７上に載置されたＩＣパッケージ１０の上面に当接してＩＣパッケージ１０を押圧するように作用することができるものである。実際には、ＩＣパッケージ１０の外部端子１１が固定側コンタクト部材６と可動側コンタクト部材７とによってしっかりと挟み込まれて固持されるために、押圧部２０はＩＣパッケージ１０の上面と軽く接触するように僅かに隙間が形成されるように設けられていて、装着されたＩＣパッケージ１０のガタツキを防止することができるように構成されている。
【００２６】
さらに、カバー部材３の、この押圧部２０の左右に間隔を置いて下方に突出するように押圧突部２１が設けられている。これら押圧突部２１は、可動側コンタクト部材７のアーム部３７の突出部３８に当接して押圧することによって、カバー部材３の閉合時に可動側コンタクト部材７のコンタクト部３５を固定側コンタクト部材６のコンタクト部３０に対してしっかりと押圧し、ＩＣパッケージ１０の外部端子１１を固定側コンタクト部材６のコンタクト部３０と可動側コンタクト部材７のコンタクト部３５との間にしっかりと挟み込んで接触して接続することができる。
【００２７】
本発明のＩＣソケット１において、コンタクト４は、固定側コンタクト部材６と可動側コンタクト部材７とから成り、ソケット本体２の中心に対して左右にコンタクト４の組がそれぞれ配置されている。このＩＣソケット１では、固定側コンタクト部材６と可動側コンタクト部材７とによって二点接触構造に形成されていて、パッケージ装着部材８の台座１７上に載置された、デュアルリードタイプのスモールアウトラインパッケージ等のようなＩＣパッケージ１０の左右に突出する外部端子１１であるＩＣリード部分をそれぞれ挟持することができるように配置されている。
【００２８】
図１乃至図４に示されるように、本発明のＩＣソケット１におけるコンタクト４は、上述したように固定側コンタクト部材６と可動側コンタクト部材７とから二点接触構造に形成されており、ソケット本体２の中心に対して固定側コンタクト部材６が左右にそれぞれ固設されている。さらに、コンタクト４は、これら固定側コンタクト部材６の外側に隣接して可動側コンタクト部材７がそれぞれ固設されていて、固定側コンタクト部材６のコンタクト部３０に可動側コンタクト部材７のコンタクト部３５が対応して位置するように図示の如く配置されている。
【００２９】
固定側コンタクト部材６は、弾性変形可能に偏平なほぼＣ字形に彎曲した形状に形成され、先端の接触部を形成するコンタクト部３０と、ソケット本体２に取付けられて固定される固定部３２と、固定部３２から偏平なほぼＣ字形に彎曲した弾性変形可能な弾性条片部３１と、固定部３２から下方に延びてソケット本体２の底部から下方に突出する端子ピン部３３とから形成され、端子ピン部３３の根元部分においてソケット本体２の底部に固着され、弾性条片部３１の先端にコンタクト部３０が形成されている。
【００３０】
このような固定側コンタクト部材６に隣接して外側に可動側コンタクト部材７がソケット本体２に固設されており、固定側コンタクト部材６のコンタクト部３０に対応して可動側コンタクト部材７のコンタクト部３５が接触、係合できるように取付けられている。このような可動側コンタクト部材７は、固定側コンタクト部材６のコンタクト部３０と接触するコンタクト部３５と、固定部４０から上方に直立して延びる弾性条片部３６と、この弾性条片部３６に対してほぼ直角に延びるアーム部３７と、弾性条片部３６から真っ直ぐに上方に延長して延びる作動部３９と、ソケット本体２に取付けられて固定される固定部４０と、固定部４０から下方に延びてソケット本体２の底部から下方に突出する端子ピン部４１とから形成されている。可動側コンタクト部材７は、端子ピン部４１の根元部分においてソケット本体２の底部に固着され、アーム部３７の先端にコンタクト部３５が形成されると共に、アーム部３７のほぼ中程にカバー部材３の押圧突部２１が当接して押圧するための対応する突出部３８が設けられている。
【００３１】
このような可動側コンタクト部材７において、ソケット本体２の枢支部１４側に配置される可動側コンタクト部材７の作動部３９Ｂに対して、枢支部１４から遠い方に配置される可動側コンタクト部材７の作動部３９Ａの方が、長さが長く作られている。これは、カバー部材３を閉じる時に、枢支部１４のピン１５を中心として閉合する方向に回動するカバー部材３が枢支部１４側の可動側コンタクト部材７の作動部３９Ｂの先端と最初に係合して、この枢支部１４側の可動側コンタクト部材７を押圧するように作用するので、この押圧係合をできるだけ幾分なりとも遅らせるために、遠い方の可動側コンタクト部材７の作動部３９Ａの長さを近い方の作動部３９Ｂの長さよりも長くして、枢支部１４に近い方の可動側コンタクト部材７と、遠い方の可動側コンタクト部材７との係合作動のずれを成るべく少なくして、できるだけ同期させるようにすることが好適である。このために枢支部１４から遠い方の作動部３９Ａの長さＬＡが、枢支部１４に近い方の作動部３９Ｂの長さＬＢよりも長くなっている。なお、これら作動部３９Ａ、３９Ｂの長さＬＡ、ＬＢが同じ長さであっても良いことは勿論である。
【００３２】
これによって、カバー部材３が閉じる方向に作動される時に、カバー部材３のコンタクト開閉用操作孔２２が、枢支部１４に近い方の可動側コンタクト部材７の作動部３９Ｂに係合して、あまり遅れることが無く、成るべくならば同時に、すなわち同期して係合して可動側コンタクト部材７を閉合作動することが所望するように行われることが良く、好適である。
【００３３】
さらにまた、ソケット本体２の中央部分に設置されるパッケージ装着部材８は、図１、２および図４に示されるように、長方形状をなし、左右に２つのＩＣパッケージ１０を装着できるように２つの台座１７が並列して設けられており、各台座１７を囲んでガイド部１８が形成されていて、台座１７に対してＩＣパッケージ１０をそれぞれ装着することができるように設けられている。また、このようなパッケージ装着部材８は、四隅においてばね部材１９によってそれぞれ弾性支持されており、台座１７を挟んで長手方向に複数組のコンタクト４が整列して配置されるように、コンタクト４のためのスリット２９が設けられている。
【００３４】
従って、パッケージ装着部材８のこれらスリット２９において、コンタクト４の固定側コンタクト部材６が下方から挿入されると共に、可動側コンタクト部材７が上方から挿入されて配置されるように構成される。
【００３５】
また、このようなパッケージ装着部材８には、ＩＣソケット１の長手方向に対して垂直な方向に、横方向の中心に沿って別のスリット３４が設けられており、コンタクト４に対して直角方向にこのスリット３４が形成されている。このパッケージ装着部材８では、パッケージ装着部材８の台座１７上に装着されたＩＣパッケージ１０を、針金のような細長い棒状の取出部材４２をスリット３４の下方から差し込んで上方に持ち上げることによってＩＣパッケージ１０を取り出すことができるように形成されており、ＩＣパッケージ１０の自動的または手動による取り出しを容易にしている。
【００３６】
また、ソケット本体２とカバー部材３は、上記したように一側においてカバー部材３を回動可能に枢支するための枢支部１４が設けられていて、カバー部材３が、例えばピン１５によってソケット本体２に枢動可能にヒンジ連結されると共に、捩りばねのようなばね部材１２によって開放方向に弾性変位されており、ソケット本体３の他側には、ラッチ機構５のためのラッチ用突部１６が設けられている。さらに、このようなラッチ機構５のためのラッチ用突部１６に対してラッチ機構５のラッチレバー２３のラッチアーム２４の先端の爪部２５が係脱可能に設けられている。
【００３７】
このようなラッチ機構５は、ラッチアーム２４と操作レバー部２６とがほぼＬ字形に一体に形成されたラッチレバー２３を有しており、操作レバー部２６の操作によってラッチアーム２４の爪部２５がソケット本体２の突部１６に対して係止可能に操作されるように形成されている。さらにまた、このようなラッチ機構５のラッチレバー２３は、ラッチアーム２４と操作レバー部２６とが一体的に形成されている。カバー部材３にピン２８によって回動可能に取付けられていて、コイルスプリングのような適宜なばね部材２７によって爪部２５がソケット本体２のラッチ用突部１６に係止される方向に弾性附勢されているのが好適である。
【００３８】
このような本発明のＩＣソケット１において、ソケット本体２のコンタクト４を、固定側コンタクト部材６と可動側コンタクト部材７とにより面状接触する二点接触構造に形成することができ、ＩＣパッケージ１０の外部端子１１と良好な挟み込み接触を行うようにすることができると共に、左右の可動側コンタクト部材７の作動部３９Ａ、３９Ｂの長さを異ならせることによって閉合時の左右の可動側コンタクト部材７を同期させて同時に接触するようにタイミングを決めることができる。
【００３９】
（実施例２）
図５は、本発明のＩＣソケットの実施例２を示す図で、ＩＣパッケージが装着されたＩＣソケットを、カバー部材を閉合した状態で示す垂直縦方向断面図である。
【００４０】
図示されるように、本発明の実施例２におけるＩＣソケット５０は、先の実施例１におけるＩＣソケット１と構成が実質的に同じであり、実施例１においては作動部３９Ａ、３９Ｂの長さが異なっていたが、この実施例２においては作動部５９の長さが共に同じ長さである。
【００４１】
本発明のこの実施例２におけるＩＣソケット５０は、固定側のソケット本体５２と、ソケット本体５２の一側に回動可能に枢支された押え板としてのカバー部材５３と、ソケット本体５２内に設けられた固定側コンタクト部材５６と可動側コンタクト部材５７を有する複数個のコンタクト５４と、カバー部材５３をソケット本体５２に係脱自在に係止するようにカバー部材５３の他側に設けられたラッチ機構５５と、ＩＣパッケージ６０が装着されるパッケージ装着部材５８とを備えており、固定側コンタクト部材５６とこれに対応する可動側コンタクト部材５７とが長手方向、すなわち縦方向に前後に対向して固定側コンタクト部材５６をソケット本体５２の中心に対して内側として、かつ左右横方向に整列して複数列に配設されており、さらに、これら可動側コンタクト部材５７の作動部５９が左右とも同一長さをなしている。これによって、左右のコンタクト５４の可動側コンタクト５７の閉合時のタイミングが僅かにずれるが、ＩＣパッケージ６０の外部端子との接触には何等支障が無く、ＩＣパッケージ６０を良好に装着して接続することができる。
【００４２】
（実施例３）
図６は、本発明のＩＣソケットの実施例３を示す図で、ＩＣパッケージが装着されたＩＣソケットを、カバー部材を閉合した状態で示す垂直縦方向断面図である。
【００４３】
図示されるように、本発明の実施例３におけるＩＣソケット７０は、先の実施例１、２におけるＩＣソケット１、５０と構成が実質的に同じであり、実施例１、２においては作動部３９、５９が上方に真っ直ぐに延びていて、コンタクト開閉用操作孔２２が設けられているが、この実施例３においては操作孔の代わりに窪み８２が設けられていることが異なっている。
【００４４】
本発明のこの実施例３におけるＩＣソケット７０は、固定側のソケット本体７２と、ソケット本体７２の一側に回動可能に枢支された押え板としてのカバー部材７３と、ソケット本体７２内に設けられた固定側コンタクト部材７６と可動側コンタクト部材７７を有する複数個のコンタクト７４と、カバー部材７３をソケット本体７２に係脱自在に係止するようにカバー部材７３の他側に設けられたラッチ機構７５と、ＩＣパッケージ８０が装着されるパッケージ装着部材７８とを備えており、固定側コンタクト部材７６とこれに対応する可動側コンタクト部材７７とが長手方向、すなわち縦方向に前後に対向して固定側コンタクト部材７６をソケット本体７２の中心に対して内側として、かつ左右横方向に整列して複数列に配設されている。
【００４５】
さらに、これら可動側コンタクト部材７７の作動部７９を開閉作動するために窪み８２がカバー部材７３の内側に設けられている。従って、コンタクト７４の可動側コンタクト部材７７は、カバー部材７３を閉合する時に、窪み８２が作動部７９の先端部に係合して可動側コンタクト部材７７を閉じるようにカム作動されることによって閉じられて、固定コンタクト部材７６と可動側コンタクト部材７７との間に、パッケージ装着部材７８上に装着されたＩＣパッケージ８０の外部端子が挟持されて電気的に接続されるように構成されている。
【００４６】
このように、本発明のＩＣソケットにおいては、いずれの実施例においてもコンタクトの接触方向をコンタクトの縦方向に良好に面状に接触できるようにすることができ、これによってＩＣソケット全体の外形寸法を縮小することができると共に、上述したような二点接触構造のコンタクトを設けることによって簡単な手段だけで簡単な構造に、安価に製作することが出来、かつソケット実装数を増やし、簡単、確実に操作することができる等の効果が得られる。
【００４７】
【発明の効果】
本発明の請求項１記載のＩＣソケットは、ソケット本体と、該ソケット本体の一側に回動可能に枢支されて他側にソケット本体と係合されるラッチ機構が設けられたカバー部材とを有するＩＣソケットにおいて、前記ソケット本体に一対の固定側コンタクト部材と可動側コンタクト部材が対向して配置されて成るコンタクトが配設され、前記カバー部材に前記可動側コンタクト部材を同期して閉合作動するための作動部が設けられているので、同期したコンタクトの接触、閉合が好適に得られ、良好な二点接触構造のコンタクトを好適に製作することができて、ＩＣソケット全体の外形寸法を縮小することができると共に、簡単な手段だけで簡単な構造に製作でき、かつソケット実装数を増やし、簡単、確実に操作することができる。
【００４８】
本発明の請求項２記載のＩＣソケットは、前記固定側コンタクト部材と可動側コンタクト部材が接触条片から形成され、枢支内側の可動側コンタクト部材の作動部が、枢支外側の可動側コンタクト部材の作動部よりも長いので、カバー部材の閉合時に枢支内側と外側の可動側コンタクト部材が、長さの異なる作動部によって同期して閉合され、良好なコンタクト接触が得られる。
【００４９】
本発明の請求項３記載のＩＣソケットは、前記枢支内側、外側の可動側コンタクト部材の作動部が同長であるので、同一部材の利用が可能となって費用の節約が可能となり、簡単な構成に容易、かつ良好に製作することができる。
【００５０】
本発明の請求項４記載のＩＣソケットは、前記可動側コンタクト部材のコンタクト部が、前記固定側コンタクト部材のコンタクト部に押圧するように配置されているので、良好な二点接触構造のコンタクトが得られる。
【００５１】
本発明の請求項５記載のＩＣソケットは、前記固定側コンタクト部材の外側に前記可動側コンタクト部材が配置され、前記固定側コンタクト部材のコンタクト部に対向して前記可動側コンタクト部材のコンタクト部が位置されているので、ＩＣソケット全体の外形寸法を縮小することができると共に、ソケット実装数を増やし、簡単に操作することができる。
【００５２】
本発明の請求項６記載のＩＣソケットは、前記固定側コンタクト部材と可動側コンタクト部材とが二点接触構造であるので、ＩＣソケット全体の外形寸法を縮小することができ、簡単な手段だけで簡単な構造に、安価に製作することができる。
【図面の簡単な説明】
【図１】本発明の実施例１におけるＩＣソケットを、カバー部材を開いた時の垂直縦方向断面図である。
【図２】図１の本発明のＩＣソケットのカバー部材を開いた状態での平面図である。
【図３】図１の本発明のＩＣソケットのカバー部材を閉じた時の垂直縦方向断面図である。
【図４】図１の本発明の実施例１におけるＩＣソケットのコンタクト部分の拡大部分説明図である。
【図５】本発明の実施例２におけるＩＣソケットを、カバー部材を開いた時の垂直縦方向断面図である。
【図６】本発明の実施例３におけるＩＣソケットを、カバー部材を開いた時の垂直縦断面図である。
【符号の説明】
１　　　　ＩＣソケット
２　　　　ソケット本体
３　　　　カバー部材
４　　　　コンタクト
５　　　　ラッチ機構
６　　　　固定側コンタクト部材
７　　　　可動側コンタクト部材
８　　　　パッケージ装着部材
１０　　　ＩＣパッケージ
１１　　　外部端子
１２　　　ばね部材
１４　　　枢支部
１５　　　ピン
１６　　　突部
１７　　　台座
１８　　　ガイド部
１９　　　ばね部材
２０　　　押圧部
２１　　　押圧突部
２２　　　コンタクト開閉用操作孔
２３　　　ラッチレバー
２４　　　ラッチアーム
２５　　　爪部
２６　　　操作レバー部
２７　　　ばね部材
２８　　　ピン
２９　　　スリット
３０　　　コンタクト部
３１　　　弾性条片部
３２　　　固定部
３３　　　端子ピン部
３４　　　スリット
３５　　　コンタクト部
３６　　　弾性条片部
３７　　　アーム部
３８　　　突出部
３９　　　作動部
４０　　　固定部
４１　　　端子ピン部
４２　　　取出部材
５０　　　ＩＣソケット
５２　　　ソケット本体
５３　　　カバー部材
５４　　　コンタクト
５５　　　ラッチ機構
５６　　　固定側コンタクト部材
５７　　　可動側コンタクト部材
５８　　　パッケージ装着部材
５９　　　作動部
６０　　　ＩＣパッケージ
７０　　　ＩＣソケット
７２　　　ソケット本体
７３　　　カバー部材
７４　　　コンタクト
７５　　　ラッチ機構
７６　　　固定側コンタクト部材
７７　　　可動側コンタクト部材
７８　　　パッケージ装着部材
７９　　　作動部
８０　　　ＩＣパッケージ
【図１】
2004103432.tif 000003
【図２】
2004103432.tif 000004
【図３】
2004103432.tif 000005
【図４】
2004103432.tif 000006
【図５】
2004103432.tif 000007
【図６】
2004103432.tif 000008